(57)【要約】【課題】操作が容易なフィッシング用ロッドの提供。【解決手段】フィッシング用ロッド１がロッド２とグリップ３とによって形成される。グリップ３は、リール４を取り付けることが可能な前方グリップ部３ａと片手で握持可能な後方グリップ部３ｂとを有する。前方グリップ部３ａは、上向きの水平面を形成するリール取り付け座１５と、取り付け座１５の下側にあって下向きに凸となるほぼ半円形の断面を画く円柱状部１４とを有する。円柱状部１４には凹部が形成され、その凹部には平坦にして柔軟な指当て面１６ａを形成するエラストマー製パッド部材１６が嵌合する。【選択図】図１
2005304420.tif 000002
【特許請求の範囲】
【請求項１】
前端部と基端部とからなる両端部を有し、これら両端部間にラインガイドが列を成して取り付けられているロッドと、前記基端部に連結されて前記前端部とは反対側の後方へ延びるグリップとからなり、前記グリップには、前記基端部に隣接しており前記ラインガイドの列の延長上にリールを取り付けることが可能な前方グリップ部と、前記前方グリップ部から後方へ延びて片手で握持可能である後方グリップ部とが形成されているフィッシング用ロッドであって、
前記前方グリップ部は、前記ラインガイドのそれぞれを上向きにしたときに、前記上向きの水平面を形成するリール取り付け座と、前記取り付け座とは反対の下向きに凸となるほぼ半円形の断面を画く円柱状部とを含む一方、前記後方グリップ部は、前記水平面の延長部分と交差して斜め下方へ延びており、前記円柱状部には、前記円柱状部の長さ方向へ延びる凹部が形成され、前記凹部には平坦にして柔軟な指当て面を形成するエラストマー製パッド部材が嵌合していることを特徴とする前記フィッシング用ロッド。
【請求項２】
前記パッド部材が前記凹部に取り外し可能に嵌合している請求項１記載のフィッシング用ロッド。
【請求項３】
前記凹部は、前記パッド部材の周縁部分に形成されて環状に延びるリブを嵌合させるための環状の溝であり、前記円柱状部には環状の前記溝よりも内側に前記パッド部材の前記指当て面とは反対側の内面に密着可能な部位が形成され、前記密着可能な部位に対して前記内面が剥離可能に接合している請求項１または２記載のフィッシング用ロッド。
【請求項４】
前記指当て面が、前記凹部の近傍における前記円柱状部の周面から０．５〜７ｍｍ突出している請求項１〜３のいずれかに記載のフィッシング用ロッド。
【発明の詳細な説明】
【技術分野】
【０００１】
この発明は、フィッシング用ロッドに関し、より詳しくはベイト・キャスティング・ロッドとして使用するのに好適な前記フィッシング用ロッドに関する。
【背景技術】
【０００２】
従来、フィッシング用ロッドの一つとして、ベイト・キャスティング用のリールを取り付け可能であって、リール取り付け用の座面を上に向けるとともに水平にしたときに、その座面の後方部分からグリップエンドが斜め下方へ延びているベイト・キャスティング・ロッドは周知である。例えば、高田弘之著「ルアー＆ロッド手作り入門」（昭和５９年廣済堂出版刊、非特許文献１）には、「自分サイズのロッドを作る」の章にこの種ロッドの作り方が記載されている。その記載によれば、ベイト・キャスティング・ロッドは、複数のラインガイドが列を成すように取り付けられているロッドと、ロッドの基端部分に連結されたグリップとを有する。ラインガイドは水平に置いたときのロッドの上側に取り付けられており、グリップはその上側にリール取り付け用の水平な座面が形成されたリール取り付け部を有し、そのリール取り付け部の後方には斜め下方へ延びるグリップエンドが形成されている。また、リール取り付け部とグリップエンドとがつながる部分には、グリップの下側へ突出するトリガーが設けられている。リールは、水平な座面に対してその座面から立ち上がるように取り付けられる。
【０００３】
リール取り付け部は、一般に金属や硬質プラスチック等の高い剛性を有する材料によって形成されており、トリガーはその材料によってリール取り付け部と一体に形成されている。
【非特許文献１】高田弘之著「ルアー＆ロッド手作り入門」（昭和５９年廣済堂出版刊
【発明の開示】
【発明が解決しようとする課題】
【０００４】
非特許文献１に記載されているベイト・キャスティング・ロッドのように、リールが水平な座面に対して立ち上がるように、換言すると水平に置いたロッドに対してリールが上向きに取り付けられるタイプのフィッシング用ロッドでは、その操作を容易にする目的で、下向きに突出するトリガーが設けられる。ところが、釣人によっては、そのトリガーがかえってロッド操作の邪魔になるという問題が生じる。例えば、トリガーの形状が指になじみにくいとか、トリガーの位置が手の大きさにマッチしていないとかというときに、そのような問題を生じる。
【０００５】
この発明が課題とするところは、リールをロッドに対して上向きに取り付けるタイプのフィッシング用ロッドを対象に、前記問題の発生を防ぐことができるような改良を施すことにある。
【課題を解決するための手段および発明の効果】
【０００６】
前記課題解決のために、この発明が対象とするのは、前端部と基端部とからなる両端部を有し、これら両端部間にラインガイドが列を成して取り付けられているロッドと、前記基端部に連結されて前記前端部とは反対側の後方へ延びるグリップとからなり、前記グリップには前記基端部に隣接しており前記ラインガイドの列の延長上にリールを取り付けることが可能な前方グリップ部と、前記前方グリップ部から後方へ延びて片手で握持することが可能である後方グリップ部とが形成されているフィッシング用ロッドである。
【０００７】
かかるフィッシング用ロッドにおいて、この発明が特徴とするところは、次のとおりである。前記前方グリップ部は、前記ラインガイドのそれぞれを上向きにしたときに、前記上向きの水平面を形成するリール取り付け座と、前記取り付け座とは反対の下向きに凸となるほぼ半円形の断面を画く円柱状部とを含む一方、前記後方グリップ部は、前記水平面の延長部分と交差して斜め下方へ延びている。前記円柱状部には、前記円柱状部の長さ方向へ延びる凹部が形成され、前記凹部には平坦にして柔軟な指当て面を形成するエラストマー製パッド部材が嵌合している。
【０００８】
請求項１に係るかような発明によれば、リール取り付け座の下側には、円柱状部に平坦にして柔軟な指当て面を形成するエラストマーからなるパッド部材が嵌合しているから、リールをロッドに対して上向きに取り付けるタイプのフィッシング用ロッドであっても、ロッドの操作は容易であり、従来技術のトリガーを有するフィッシング用ロッドのようにトリガーが邪魔になってロッドの操作が難しくなるという恐れがない。
【０００９】
請求項２に係るこの発明の実施態様では、前記パッド部材が前記凹部に取り外し可能に嵌合している。
【００１０】
かかる態様のフィッシング用ロッドでは、パッド部材を好みのものに交換することができる。
【００１１】
請求項３に係るこの発明の実施態様では、前記凹部が、前記パッド部材の周縁部分に形成されて環状に延びるリブを嵌合させるための環状の溝であり、前記円柱状部には環状の前記溝よりも内側に前記パッド部材の前記指当て面とは反対側の内面に密着可能な部位が形成され、前記密着可能な部位に対して前記内面が剥離可能に接合している。
【００１２】
かかる態様のフィッシング用ロッドでは、パッド部材の周縁部にリブを形成して、これをリール取り付け部に形成された凹部である溝に嵌合させると、パッド部材は、その厚さが薄いものであっても、円柱状部から脱落することがない。また、このパッド部材をリブよりも内側においてリール取り付け部に接合することで、パッド部材はリール取り付け部から一層脱落し難くなる。
【００１３】
請求項４に係るこの発明実施態様では、前記指当て面が前記凹部の近傍における前記円柱状部の周面から０．５〜７ｍｍ突出している。
【００１４】
かかる態様のフィッシング用ロッドでは、後方グリップ部を握っている手の指を前方グリップ部へ延ばすと、その指が確実かつ速やかに指当て面に載る。
【発明を実施するための最良の形態】
【００１５】
添付の図面を参照して、この発明に係るフィッシング用ロッドの詳細を説明すると、以下のとおりである。
【００１６】
図１はフィッシング用ロッド１の側面図であり、図２は図１のＩＩ−ＩＩ線矢視図である。フィッシング用ロッド１は、ベイト・キャスティング・ロッドとして使用するのに好適なもので、一部を省略して示されたロッド２と、グリップ３とからなり、グリップ３に着脱されるリール４が仮想線で示されている。ロッド２は、前端部６と基端部７とからなる両端部を有し、これら両端部６，７間には、複数のラインガイド８が列を成すようにロッド２の上側に取り付けられている。ロッド２の基端部７は、その一部分がグリップ３の先端部分９に着脱可能または着脱不能な状態で差し込まれている。グリップ３は、先端部分９と後端部分１１とを有し、これら両部分９，１１の間には、ロッド２寄りに位置してリール取り付け部１２を有する前方グリップ部３ａと、リール取り付け部１２から後方へ延びておりグリップエンド１３を有する後方グリップ部３ｂとが形成されている。リール取り付け部１２は、列を成すラインガイド８の延長上にリール４を位置させることができるように、太いグリップ３の一部分をくぼませることにより形成されており、図において上向きの水平面を成すリール取り付け座１５を有する。この取り付け座１５には、リール４の所定部位が当接される。リール取り付け部１２はまた、取り付け座１５とは反対の下向きに凸となるほぼ半円形の断面（図５を併せて参照）を形成する円柱状部１４を有し、その円柱状部１４にはグリップ３の長さ方向へ延びる指当て用パッド部材１６が取り付けられている。パッド部材１６は、指の滑り止めとなる複数の小突起１８が平坦な指当て面１６ａを形成しているもので、平面形状がほぼ長円形ないしほぼ矩形を呈している。後方グリップ部３ｂは、図１において、水平面を成すリール取り付け座１５の後方へ延びる仮想線１５ａで示された延長面と交差して斜め下方へ延びており、その芯の部分が前方グリップ部３ａを形成している金属または硬質プラスチック等であって変形することのない高剛性の材料で形成され、その表面がクッション性のあるスポンジ等の弾性材料１７（図４参照）で形成されている。かような後方グリップ部３ｂは、片手での握持が容易なように作られている。
【００１７】
図３は、フィッシング用ロッド１の部分斜視図であり、図４，５は図３のＩＶ−ＩＶ線およびＶ−Ｖ線に沿った断面図である。リール取り付け部１２は、一対のリール取り付け座１５とスライド部材２１とを有し、一対のリール取り付け座１５がグリップ３の径方向において向かい合いグリップ３の長さ方向へ延びている。スライド部材２１は、グリップ３の先端部分９に設けられたリング部材１９を回転させればその先端部分９から後端部分１１に向かっての前進と、その反対方向の後退とが可能であり、リール４の所定部位（図示せず）をリール取り付け座１５に当ててスライド部材２１を前進させると、そのスライド部材２１と、リール取り付け部１２の後端壁２２とによってリール４の下端部分を挟圧して、リール４を取り付け座１５に固定することができる。リール取り付け部１２における円柱状部１４は、溝２７と溝２７よりも内側の部位２９とを有する。溝２７は、パッド部材１６の周縁部に沿って延びている環状のリブ２６（図６参照）を嵌合させるためのものであって、そのリブ２６と相似形の環状を呈している。溝２７よりも内側の部位２９は、パッド部材１６の内面に接合材２８を介して接合する。かようなパッド部材１６は、その厚さが薄いものであっても、リブ２６が溝２７に嵌合することによって、パッド部材１６の周縁部にそのパッド部材１６を円柱状部１４から剥がそうとする力が作用しても、その周縁部は円柱状部１４から簡単に剥がれるということがない。接合材２８は、パッド部材１６を円柱状部１４にさらに強固に取り付けておくためのもので、それには接着剤や粘着剤が使用される。ただし、好ましい接合材２８の一例では、パッド部材１６の交換を可能にするような粘着力を有する両面テープが使用される。図示例のパッド部材１６の指当て面１６ａは、パッド部材１６の近傍における円柱状部１４の表面３１から円柱状部１４の外側へ突出しており、その突出寸法Ａが０．５〜７ｍｍの範囲、より好ましくは１〜３ｍｍの範囲にある。かようなグリップ３では、後方グリップ部３ｂを片手で握りながら、その手の指をロッド２に向かって延ばすと、その指は確実に前方グリップ部３ａに形成されている指当て面１６ａに載る。
【００１８】
図６は、図４の円柱状部１４から外されたパッド部材１６の裏面図である。パッド部材１６は、ほぼ長円形ないしほぼ矩形に形成されており、その周縁部に沿って環状に延びるリブ２６を有する。リブ２６よりも内側の部分は、接合材２８を介して円柱状部１４に接合する（図５参照）。
【００１９】
図７は、グリップ３の断面形状を示す図５と同様な図であるが、このグリップ３では、図５に示されたパッド部材１６と接合材２８とが取り除かれている。前方グリップ部３ａの円柱状部１４において、溝２７よりも内側に位置する部位２９の表面２９ａは、溝２７よりも外側に位置する円弧状の周面３１の延長上にある仮想面３０に一致していてもよいが、好ましくは図示例の如く仮想面３０よりも円柱状部１４の内側へ０．３〜３ｍｍへこんでいる。表面２９ａがそのように形成されている円柱状部１４では、パッド部材１６がクッション性のよい厚さの厚いもの、例えば厚さが２〜５ｍｍのものであっても、指当て面１６ａを円柱状部１４の表面３１から僅かだけ、例えば０．５〜１ｍｍ程度だけ突出させることができる。なお、パッド部材１６はその厚さに格別の制約を有するものではないから、リブ２６のない一様な厚さのものにして、それを円柱状部１４に形成された一様な深さであってその厚さよりも僅かに浅い凹部に嵌合させることも可能である。また、この発明は、指当て面１６ａが仮想面３０よりも円柱状部１４の内側に位置するようなパッド部材１６を使用して実施することも可能である。
【００２０】
この発明において、パッド部材１６が前方グリップ部３ａに対して交換可能に形成されている場合には、小突起１８を有する図示例のパッド部材１６を好みの形状の突起を有するパッド部材に代えたり、好みの色調を有するパッド部材に代えたりすることができる他に、トリガー付きのパッド部材に代えたりすることもできる。この場合のトリガー付きのパッド部材は、トリガーの位置や形状、硬さ等が異なるものを複数種類用意しておくことによって、釣人の多種多様なニーズに応えることができる。
【産業上の利用可能性】
【００２１】
この発明によれば、ロッドに対して上向きにリールを取り付けるタイプであってロッドの操作が容易なフィッシング用ロッドの製造が可能になる。
【図面の簡単な説明】
【００２２】
【図１】フィッシング用ロッドの側面図。
【図２】図１のＩＩ−ＩＩ線矢視図。
【図３】フィッシング用ロッドの部分斜視図。
【図４】図３のＩＶ−ＩＶ線断面図。
【図５】図３のＶ−Ｖ線断面図。
【図６】パッド部材の裏面図。
【図７】グリップの断面を示す図５と同様な図。
【符号の説明】
【００２３】
１    フィッシング用ロッド
２    ロッド
３    グリップ
３ａ    前方グリップ部
３ｂ    後方グリップ部
６    前端部
７    基端部
８    ラインガイド
１２    リール取り付け部
１４    円柱状部
１５    リール取り付け座
１６    パッド部材
１６ａ    指当て面
２６    リブ
２７    凹部（溝）
２９    部位
３１    周面
【図１】
2005304420.tif 000003
【図２】
2005304420.tif 000004
【図３】
2005304420.tif 000005
【図４】
2005304420.tif 000006
【図５】
2005304420.tif 000007
【図６】
2005304420.tif 000008
【図７】
2005304420.tif 000009